(57)【要約】      （修正有）【課題】無線通信機器は、消費電力量の少ない無線通信手段、すなわち通信回線を、より正確に選択する方法を提供する。【解決手段】無線通信機器は、無線通信方式が異なる複数の通信網のいずれかと無線通信を行うことが可能な無線通信手段を複数備えた無線通信機器であって、前記無線通信手段毎に、受信電波の強度と、前記強度時に前記通信網と通信した場合に前記無線通信手段が消費すると推定される電力量と、が対応づけられた所定のテーブルを記憶し、前記無線通信手段毎に、実際に受信した電波の前記強度を測定し、測定した前記強度に対応する前記電力量を前記テーブルから求め、求めた前記電力量がより少ない前記無線通信手段を選択する。【選択図】図１
2014165781.tif 000002
【特許請求の範囲】
【請求項１】
無線通信方式が異なる複数の通信網のいずれかと無線通信を行うことが可能な無線通信手段を複数備えた無線通信機器であって、
前記無線通信手段毎に、受信電波の強度と、前記強度時に前記通信網と通信した場合に前記無線通信手段が消費すると推定される電力量と、が対応づけられた所定のテーブルを記憶する記憶部と、
前記無線通信手段毎に、実際に受信した電波の前記強度を測定する測定部と、
前記無線通信手段毎に、前記測定部が測定した前記強度に対応する前記電力量を前記テーブルから求め、求めた前記電力量がより少ない前記無線通信手段を選択し、選択した前記無線通信手段に対応する信号を出力する通信回線選択部と、を備える、
ことを特徴とする無線通信機器。
【請求項２】
前記測定部は、無線通信を行っている前記無線通信手段について、その消費電力量を測定し、測定した前記消費電力量と前記強度とを対応づけて、無線通信を行っている前記無線通信手段の前記テーブルに追加する、
ことを特徴とする請求項１に記載の無線通信機器。
【請求項３】
前記測定部は、測定した前記消費電力量と前記強度とを対応づけて前記テーブルに追加する際に、前記テーブルに同じ値の前記強度が存在するときには、前記テーブルにおいて前記強度に対応づけられている前記電力量を求め、求めた前記電力量と、前記消費電力量との平均値を求め、前記テーブルにおいて前記強度に対応づけられている前記電力量を前記平均値に書き換える、
ことを特徴とする請求項２に記載の無線通信機器。
【請求項４】
前記無線通信手段毎に、その通信の安定性を評価する品質評価機能部を備え、
前記通信回線選択部は、選択した前記無線通信手段の前記評価が一定水準より低い場合には、前記評価が一定水準以上の別の前記無線通信手段を新たに選択する、
ことを特徴とする請求項１乃至３のいずれか１項に記載の無線通信機器。
【請求項５】
前記品質評価機能部は、前記無線通信手段毎に、通信中に通信断となったときには、通信断となった理由に基づいて、通信の安定性を示す評価値、すなわちスコアを所定数加算、若しくは減算したものとし、
前記通信回線選択部は、選択した前記無線通信手段の前記スコアが、所定値よりも低い場合に、前記スコアが所定値以上の別の前記無線通信手段を新たに選択する、
ことを特徴とする請求項４に記載の無線通信機器。
【請求項６】
前記品質評価機能部は、通信断となった理由が、ユーザーによるものであった場合には、前記スコアを所定数加算したものとし、圏外となったことによるもの、若しくは網からの強制切断によるものであった場合には、前記スコアを所定数減算したものとする、
ことを特徴とする請求項５に記載の無線通信機器。
【請求項７】
無線通信方式が異なる複数の通信網のいずれかと無線通信を行う無線通信手段を複数備えた無線通信機器において、消費電力量の少ない前記無線通信手段を選択する方法であって、
前記無線通信手段毎に、受信電波の強度と、前記強度時に前記通信網と通信した場合に前記無線通信手段が消費すると推定される電力量と、が対応づけられた所定のテーブルを記憶し、前記無線通信手段毎に、実際に受信した電波の前記強度を測定し、測定した前記強度に対応する前記電力量を前記テーブルから求め、求めた前記電力量がより少ない前記無線通信手段を選択する、
ことを特徴とする通信回線選択方法。
【請求項８】
無線通信を行っている前記無線通信手段について、その消費電力量を測定し、測定した前記消費電力量と前記強度とを対応づけて、無線通信を行っている前記無線通信手段の前記テーブルに追加する、
ことを特徴とする請求項７に記載の通信回線選択方法。
【請求項９】
前記消費電力量と前記強度とを対応づけて前記テーブルに追加する際に、前記テーブルに同じ値の前記強度が存在するときには、前記テーブルにおいて前記強度に対応づけられている前記電力量を求め、求めた前記電力量と、前記消費電力量との平均値を求め、前記テーブルにおいて前記強度に対応づけられている前記電力量を前記平均値に書き換える、
ことを特徴とする請求項８に記載の通信回線選択方法。
【請求項１０】
前記無線通信手段毎に、その通信の安定性を評価し、選択した前記無線通信手段の前記評価が一定水準より低い場合には、前記評価が一定水準以上の別の前記無線通信手段を新たに選択する、
ことを特徴とする請求項７乃至９のいずれか１項に記載の通信回線選択方法。
【発明の詳細な説明】
【技術分野】
【０００１】
本発明は、無線通信機器、通信回線選択方法に関し、特に、消費電力の少ない通信回線を選択する無線通信機器、通信回線選択方法に関する。
【背景技術】
【０００２】
一般的に、通信網に接続可能な２以上の通信回線の中から消費電力の少ない通信回線を選択し、その回線で通信網と無線通信を行う無線通信機器が知られている。上述の無線通信機器は、例えば、スマートフォンや携帯電話、小型ノートパソコン等の移動体通信機器を含む。
【０００３】
消費電力の少ない通信回線を選択し、その回線で通信網と無線通信を行う無線通信機器としては、以下の特許文献１に開示がされている。
【０００４】
特許文献１の無線通信機器は、複数の無線通信手段と、残存容量検出手段と、制御手段を備える。各無線通信手段は、電池の電力により駆動するように構成され、無線通信方式が互いに異なる複数の無線通信網の各々に対して接続・切断可能である。上述の複数の無線通信網は、ＰＨＳ（Ｐｅｒｓｏｎａｌ  Ｈａｎｄｙｐｈｏｎｅ  Ｓｙｓｔｅｍ）方式やＰＤＣ（Ｐｅｒｓｏｎａｌ  Ｄｉｇｉａｌ  Ｃｅｌｌｕｌａｒ）方式の無線通信網であってもよい。残存容量検出手段は、電池の残存容量を検出する。制御手段は、複数の無線通信手段のうちの一の無線通信手段を複数の無線通信網のうちの一の無線通信網に対して接続させ、一の無線通信網を介して、所定の通信相手と通信を行う。また、制御手段は、一の無線通信網を介して、通信を行っている最中に、電池の残存容量が低下して所定値未満になったことを残存容量検出手段が検出したときには、一の無線通信手段よりも消費電力の小さい他の無線通信手段を他の無線通信網に対して接続させる。さらに、制御手段は、一の無線通信網から一の無線通信手段を切断する。
【０００５】
次に、特許文献１の無線通信機器の各手段は、例えば、以下の通りに動作する。
【０００６】
まず、特許文献１の無線通信機器が、ＰＤＣ方式の無線通信網を介し、所定の相手と通信を行っている最中に、電池の残存容量が低下して所定値未満になったことを残存容量検出手段御手段が検出したとする。すると、制御手段は、ＰＤＣ方式で通信を行う無線通信手段よりも、消費電力の小さなＰＨＳ方式で通信を行う無線通信手段を選択し、その無線通信手段で、ＰＨＳ方式の無線通信網と接続する。さらに、制御手段は、ＰＤＣ方式で通信を行っている無線通信手段を無線通信網から切断する。特許文献１の無線通信機器は、ＰＨＳ方式の無線通信網を介して、所定の相手との通信を継続する。
【０００７】
上述の構成や動作の通り、特許文献１の無線通信機器は、通信中に電池の残存容量が低下して所定値未満になると、消費電力の少ない所定の無線通信手段を選択し、その通信手段で無線通信を実行する。すなわち、特許文献１の無線通信機器は、自身にとって消費電力の少ない通信回線を選択し、その回線で無線通信網と通信を行う。その結果、特許文献１の無線通信機器は、電池の容量の消耗を和らげ、通信が突発的に不可能になるという状況を未然に回避することができる。
【先行技術文献】
【特許文献】
【０００８】
【特許文献１】特開２０００−２３２６８３号公報
【発明の概要】
【発明が解決しようとする課題】
【０００９】
しかし、特許文献１の無線通信機器は、消費電力量の少ない無線通信手段（以下、「通信回線」という）を選択するとは限らないという課題があった。その理由を以下に説明する。
【００１０】
まず、特許文献１の無線通信機器は、受信した電波がどのような強度であっても、電池の残存容量が所定値未満になったことを検出すると、所定の通信回線を一意に選択し、その回線で無線通信を実行する。ここで、特許文献１の記載「無線通信手段としては、…ＰＤＣ方式…および…ＰＨＳ方式の通信規格に準拠する通信部に限らず」により、特許文献１の無線通信機器は、所定の通信回線として、Ｗ−ＣＤＭＡやＬＴＥ、ＷＬＡＮ方式の通信回線を用いることもできる。（上述のＷ−ＣＤＭＡは、Ｗｉｄｅｂａｎｄ  Ｃｏｄｅ  Ｄｉｖｉｓｉｏｎ  Ｍｕｌｔｉｐｌｅ  Ａｃｃｅｓｓの略称であり、ＬＴＥは、Ｌｏｎｇ  Ｔｅｒｍ  Ｅｖｏｌｕｔｉｏｎの略称である。上述のＷＬＡＮは、Ｗｉｒｅｌｅｓｓ  Ｌｏｃａｌ  Ａｒｅａ  Ｎｅｔｗｏｒｋの略称である。）しかし、Ｗ−ＣＤＭＡやＬＴＥ、ＷＬＡＮ方式を用いる無線通信機器の消費電力量は、受信した電波の強度によって変動する。例えば、Ｗ−ＣＤＭＡ（以下、「３Ｇ」という）やＬＴＥ、ＷＬＡＮ方式を用いる無線通信機器は、受信した電波が圏外になる程度に弱いときには、何度も基地局やアクセスポイントからの電波を探す為、消費電力量が増大してしまう。その為、３ＧやＬＴＥ、ＷＬＡＮ方式の通信回線を所定の通信回線として用いる特許文献１の無線通信機器は、所定の通信回線を選択して通信を行っても、受信した電波の強度によっては、かえって消費電力が増加してしまうことがあった。すなわち、特許文献１の無線通信機器は、消費電力量の少ない通信回線を選択するとは限らないという課題があった。
【００１１】
本発明は、上記課題を解決する無線通信機器、通信回線選択方法を提供することを目的とする。
【課題を解決するための手段】
【００１２】
上記目的を達成するために、本発明の無線通信機器は、無線通信方式が異なる複数の通信網のいずれかと無線通信を行うことが可能な無線通信手段を複数備えた無線通信機器であって、前記無線通信手段毎に、受信電波の強度と、前記強度時に前記通信網と通信した場合に前記無線通信手段が消費すると推定される電力量と、が対応づけられた所定のテーブルを記憶する記憶部と、前記無線通信手段毎に、実際に受信した電波の前記強度を測定する測定部と、前記無線通信手段毎に、前記測定部が測定した前記強度に対応する前記電力量を前記テーブルから求め、求めた前記電力量がより少ない前記無線通信手段を選択し、選択した前記無線通信手段に対応する信号を出力する通信回線選択部と、を備える。
【００１３】
上記目的を達成するために、本発明の通信回線選択方法は、無線通信方式が異なる複数の通信網のいずれかと無線通信を行う無線通信手段を複数備えた無線通信機器において、消費電力量の少ない前記無線通信手段を選択する方法であって、前記無線通信手段毎に、受信電波の強度と、前記強度時に前記通信網と通信した場合に前記無線通信手段が消費すると推定される電力量と、が対応づけられた所定のテーブルを記憶し、前記無線通信手段毎に、実際に受信した電波の前記強度を測定し、測定した前記強度に対応する前記電力量を前記テーブルから求め、求めた前記電力量がより少ない前記無線通信手段を選択する。
【発明の効果】
【００１４】
本実施形態によれば、無線通信機器は、消費電力量の少ない無線通信手段、すなわち通信回線を、より正確に選択することができる。
【図面の簡単な説明】
【００１５】
【図１】本発明の第１の実施の形態における無線通信機器の構成例を示す図である。
【図２】本発明の第１の実施の形態における無線通信機器が用いるＰｒｏｆｉｌｅの一例を示す図である。
【図３】本発明の第１の実施の形態における無線通信機器の動作（ＷＬＡＮ方式を用いる無線通信手段を選択した場合の動作）を説明する為の図である。
【図４】本発明の第１の実施の形態における無線通信機器の動作（ＬＴＥ方式を用いる無線通信手段を選択した場合の動作）を説明する為の図である。
【図５】本発明の第２の実施の形態における無線通信機器の構成例を示す図である。
【図６】本発明の第２の実施の形態における無線通信機器の動作（ＷＬＡＮ方式の通信網と通信を行っている最中に通信が切断した場合の動作）を説明する為の図である。
【図７】本発明の第２の実施の形態における無線通信機器の動作（ＬＴＥ方式の通信網と通信を行っている最中に通信が切断した場合の動作）を説明する為の図である。
【図８】本発明の第３の実施の形態における無線通信機器の構成例を示す図である。
【発明を実施するための形態】
【００１６】
次に本発明の実施形態について、図面を参照して詳細に説明する。
【００１７】
［第１の実施の形態］
本発明の第１の実施の形態における無線通信機器は、無線通信方式が異なる２つの通信網のいずれかと無線通信を行う２つの無線通信手段を備える。第１の実施形態の無線通信機器は、より少ない消費電力量で通信網と無線通信を行なう無線通信手段を、受信する電波の強度に応じて選択するものである。以下に、本発明の第１の実施の形態における無線通信機器の構成や機能、動作について説明する。
【００１８】
［構成の説明］
まず、本発明の第１の実施の形態における無線通信機器の構成と機能について説明する。
【００１９】
（１）本発明の第１の実施の形態における無線通信機器の構成
図１は、本発明の第１の実施の形態における無線通信機器の構成例を示す図である。図１に示されるように、本実施形態の無線通信機器は、設定情報管理機能部１と、ＷＬＡＮ通信機能部２と、ＬＴＥ／３Ｇ通信機能部３と、ＷＬＡＮ制御機能部４と、ＬＴＥ／３Ｇ制御機能部５と、省電力制御機能部６と、回線選択制御機能部７を含んで構成される。各部位の機能を以下に説明する。
【００２０】
（２）本発明の第１の実施形態における無線通信機器を構成する各部位の機能
設定情報管理機能部１は、ユーザー設定情報を記憶する。ユーザー設定情報は、本実施形態の無線通信機器がどのような無線通信手段を優先的に選択するかが示された情報であり、本実施形態の無線通信機器のユーザーによって、設定情報管理機能部１に設定される。例えば、ユーザー設定情報は、消費電力のより小さな無線通信手段を優先的に選択することが示された情報であってもよいし、受信した電波の強度が最も高く、切断されにくい無線通信手段を優先的に選択することが示された情報であってもよい。さらに、ユーザー設定情報は、ＷＬＡＮ方式に対応する無線通信手段を優先的に選択することが示された情報であってもよいし、ＬＴＥ方式、若しくは３Ｇ方式に対応する無線通信手段を優先的に選択することが示された情報であってもよい。また、設定情報管理機能部１は、ユーザー設定情報を要求する信号が入力されると、記憶するユーザー設定情報を電気信号として出力する。出力されたユーザー設定情報は、後述するが、無線通信手段を選択する回線選択制御機能部７で使用される。
【００２１】
ＷＬＡＮ通信機能部２は、ＷＬＡＮ方式の通信網と無線通信を行う為の一般的な無線通信機能を有する。すなわち、ＷＬＡＮ通信機能部２は、ＷＬＡＮ方式の通信網と無線通信を行う為の無線通信手段である。ＷＬＡＮ通信機能部２は、所定のタイミングになると、その時、受信している電波の強度（以下、「受信電波強度」という）を測定し、測定した受信電波強度を示す信号を出力する。所定のタイミングは、一定間隔毎のタイミングであってもよく、本実施形態の無線通信機器のユーザーによって、ＷＬＡＮ通信機能部２に設定される。さらに、ＷＬＡＮ通信機能部２は、回線接続を指示する信号が入力されると、ＷＬＡＮ方式で無線通信を行う機能を起動し、ＷＬＡＮ方式の無線通信網と接続する。さらに、ＷＬＡＮ通信機能部２は、ＷＬＡＮ方式で無線通信を行う機能を起動した後、所定のタイミングになると、受信電波強度に加え、自身の消費電力量も測定し、測定した受信電波強度と消費電力量を示す信号を出力する。所定のタイミングは、一定間隔毎のタイミングであってもよく、本実施形態の無線通信機器のユーザーによって、ＷＬＡＮ通信機能部２に設定される。また、ここでの所定のタイミングは、上述の受信電波強度のみを測定するときの所定のタイミングと異なっていてもよい。また、ＷＬＡＮ通信機能部２は、機能ＯＦＦを指示する信号が入力されると、ＷＬＡＮ方式で無線通信を行う機能を停止する。
【００２２】
ＬＴＥ／３Ｇ通信機能部３は、ＬＴＥ方式で無線通信を行う為の一般的な無線通信機能を有する。すなわち、ＬＴＥ／３Ｇ通信機能部３は、ＬＴＥ方式の通信網と無線通信を行う為の無線通信手段である。ＬＴＥ／３Ｇ通信機能部３は、所定のタイミングになると、その時の受信電波強度を測定し、測定した受信電波強度を示す信号を出力する。所定のタイミングは、一定間隔毎のタイミングであってもよく、本実施形態の無線通信機器のユーザーによって、ＬＴＥ／３Ｇ通信機能部３に設定される。さらに、ＬＴＥ／３Ｇ通信機能部３は、回線接続を指示する信号が入力されると、ＬＴＥ方式で無線通信を行う機能を起動し、ＬＴＥ方式の無線通信網と接続する。さらに、ＬＴＥ／３Ｇ通信機能部３は、無線通信を行う機能を起動した後、所定のタイミングになると、受信電波強度に加え、自身の消費電力量も測定し、測定した受信電波強度と消費電力量を示す信号を出力する。所定のタイミングは、一定間隔毎のタイミングであってもよく、本実施形態の無線通信機器のユーザーによって、ＬＴＥ／３Ｇ通信機能部３に設定される。また、ここでの所定のタイミングは、上述の受信電波強度のみを測定する所定のタイミングと異なっていてもよい。ＬＴＥ／３Ｇ通信機能部３は、機能ＯＦＦを指示する信号が入力されると、ＬＴＥ方式で無線通信を行う機能を停止する。
【００２３】
ＷＬＡＮ制御機能部４には、受信電波強度と、その受信電波強度であったときにＷＬＡＮ方式の無線通信網と通信するとＷＬＡＮ通信機能部２が消費すると推定される電力量と、が対応づけられたテーブル（以下、「Ｐｒｏｆｉｌｅ」という）が予め設定される。上述のＰｒｏｆｉｌｅは、本実施形態の無線通信機器のユーザーによって、ＷＬＡＮ制御機能部４に設定される。本実施形態の無線通信機器のユーザーは、実験等によってＰｒｏｆｉｌｅを求め、ＷＬＡＮ制御機能部４に設定しても良い。図２は、本発明の第１の実施の形態における無線通信機器が用いるＰｒｏｆｉｌｅの一例を示す図である。さらに、ＷＬＡＮ制御機能部４は、受信電波強度と電力量を示す信号が入力されると、その信号が示す受信電波強度と電力量を基にＰｒｏｆｉｌｅを更新する。具体的には、ＷＬＡＮ制御機能部４は、受信電波強度と電力量を示す信号が入力されると、その信号から受信電波強度と電力量を認識し、認識した受信電波強度と電力量とを関連づけて、Ｐｒｏｆｉｌｅに追加する。なお、ＷＬＡＮ制御機能部４は、受信電波強度と電力量をＰｒｏｆｉｌｅに追加する際に、同じ受信電波強度がＰｒｏｆｉｌｅに存在するときには、Ｐｒｏｆｉｌｅから当該受信電波強度に関連づけられている電力量を求める。そして、ＷＬＡＮ制御機能部４は、求めた電力量と、Ｐｒｏｆｉｌｅに今回、追加しようとする電力量との平均値を求め、Ｐｒｏｆｉｌｅにおいて当該受信電波強度に関連づけられている電力量を、求めた平均値に書き換え、Ｐｒｏｆｉｌｅを更新する。また、ＷＬＡＮ制御機能部４は、受信電波強度を示す信号が入力されると、その信号から受信電波強度を認識し、認識した受信電波強度を、現在の受信電波強度として記憶する。さらに、ＷＬＡＮ制御機能部４は、受信電波強度と電力量を示す信号が入力されたときにも、その信号から認識した受信電波強度を、現在の受信電波強度として記憶する。ＷＬＡＮ制御機能部４は、Ｐｒｏｆｉｌｅと現在の受信電波強度を要求する信号が入力されると、記憶する現在の受信電波強度、Ｐｒｏｆｉｌｅ、及び自身に対応する識別子を電気信号（以下、「情報通知信号」という）として出力する。また、ＷＬＡＮ制御機能部４は、回線接続を指示する信号が入力されると、その信号を出力する。さらに、ＷＬＡＮ制御機能部４は、機能ＯＦＦを指示する信号が入力されると、その信号を出力する。
【００２４】
ＬＴＥ／３Ｇ制御機能部５は、ＷＬＡＮ制御機能部４と同じ機能を有する。但し、ＬＴＥ／３Ｇ制御機能部５に設定されるＰｒｏｆｉｌｅは、受信電波強度と、その受信電波強度であったときにＬＴＥ方式の無線通信網と通信するとＬＴＥ／３Ｇ通信機能部３が消費すると推定される電力量と、が対応づけられたテーブルである。
【００２５】
省電力制御機能部６は、所定のタイミングになると、Ｐｒｏｆｉｌｅと現在の受信電波強度を要求する信号を、各無線通信手段、すなわちＷＬＡＮ通信機能部２とＬＴＥ／３Ｇ通信機能部３に出力する。所定のタイミングは、一定間隔毎のタイミングであってもよく、本実施形態の無線通信機器のユーザーによって、省電力制御機能部６に設定される。省電力制御機能部６は、情報通知信号（ＷＬＡＮ制御機能部４の機能に上述）が入力されると、その信号から現在の受信電波強度、Ｐｒｏｆｉｌｅ、及び識別子を認識する。さらに、省電力制御機能部６は、現在の受信電波強度とＰｒｏｆｉｌｅがどの制御機能部から通知されたものかを識別子から判別する。そして、省電力制御機能部６は、認識した現在の受信電波強度とＰｒｏｆｉｌｅを、判別した制御機能部に接続される無線通信手段の、現在の受信電波強度とＰｒｏｆｉｌｅとして記憶する。さらに、省電力制御機能部６は、全ての無線通信手段の現在の受信電波強度とＰｒｏｆｉｌｅを記憶すると、無線通信手段毎に、現在の受信電波強度で通信網と通信したら、どの程度、電力量を消費するのかを推定する。具体的な推定の方法は、後述の［動作の説明］にて詳細を説明する。省電力制御機能部６は、各無線通信手段における現在の受信電波強度と、推定した電力量とを記憶する。ここで記憶した情報は、以下「最適化情報」という。省電力制御機能部６は、最適化情報を要求する信号が入力されると、最適化情報を示す信号を出力する。
【００２６】
回線選択制御機能部７は、起動後、ユーザー設定情報を要求する信号を出力する。また、回線選択制御機能部７は、ユーザー設定情報が入力された後、所定のタイミングになると、最適化情報を要求する信号を出力する。所定のタイミングは、一定間隔毎のタイミングであってもよく、本実施形態の無線通信機器のユーザーによって、回線選択制御機能部７に設定される。また、回線選択制御機能部７は、最適化情報を示す信号が入力されると、その信号から最適化情報を認識し、最適化情報とユーザー設定情報を基に無線通信手段を選択する。無線通信手段の選択の方法は、後述の［動作の説明］にて詳細を説明する。回線選択制御機能部７は、選択した無線通信手段に接続されている制御機能部、すなわちＷＬＡＮ制御機能部４、若しくはＬＴＥ／３Ｇ制御機能部５に対し、回線接続を指示する信号を出力する。なお、回線選択制御機能部７は、選択しない無線通信手段に接続されている制御機能部、すなわちＷＬＡＮ制御機能部４、若しくはＬＴＥ／３Ｇ制御機能部５に対しては、機能ＯＦＦを指示する信号を出力する。
【００２７】
ＷＬＡＮ通信機能部２とＬＴＥ／３Ｇ通信機能部３は、電子回路やＦＰＧＡ（Ｆｉｅｌｄ−Ｐｒｏｇｒａｍｍａｂｌｅ  Ｇａｔｅ  Ａｒｒａｙ）を用いて実現することができる。また、設定情報管理機能部１、回線選択制御機能部７、ＷＬＡＮ制御機能部４、省電力制御機能部６、およびＬＴＥ／３Ｇ制御機能部５は、電子回路やＣＰＵ（Ｃｅｔｒａｌ  Ｐｒｏｃｅｓｓｉｎｇ  Ｕｎｉｔ）を用いて実現することができる。さらに、設定情報管理機能部１は、ＲＯＭ（ＲｅａｄＡ  Ｏｎｌｙ  Ｍｅｍｏｒｙ）等のメモリを備え、ＷＬＡＮ制御機能部４と、ＬＴＥ／３Ｇ制御機能部５と、省電力制御機能部６は、ＲＡＭ（Ｒａｎｄｏｍ  Ａｃｃｅｓｓ  Ｍｅｍｏｒｙ）等のメモリを備える。
【００２８】
［動作の説明］
図３は、本発明の第１の実施の形態における無線通信機器の動作（ＷＬＡＮ方式を用いる無線通信手段を選択した場合の動作）を説明する為の図である。図４は、本発明の第１の実施の形態における無線通信機器の動作（ＬＴＥ方式を用いる無線通信手段を選択した場合の動作）を説明する為の図である。図３、図４を用いて、本実施形態の無線通信機器の動作、すなわち受信する電波の強度に応じて、より少ない消費電力量で無線通信を行なう無線通信手段を選択する動作を説明する。
【００２９】
なお、本実施形態の無線通信機器の設定情報管理機能部１には、消費電力のより小さな無線通信手段を優先的に選択することが示されたユーザー設定情報が、本実施形態の無線通信機器のユーザーによって設定されているものとして説明を進める。ユーザー設定情報は、［構成の説明］に上述したように、本実施形態の無線通信機器がどのような無線通信手段を優先的に選択するかが示された情報である。
【００３０】
（１）回線選択制御機能部７のユーザー設定情報の取得動作
まず、本実施形態の無線通信機器の回線選択制御機能部７は、起動すると、ユーザー設定情報を設定情報管理機能部１から取得する。
【００３１】
具体的には、回線選択制御機能部７は、起動すると、図３に示されるように、ユーザー設定情報を要求する信号を設定情報管理機能部１に出力する（Ｓ１）。
【００３２】
次に、設定情報管理機能部１は、ユーザー設定情報を要求する信号が入力されると、設定されているユーザー設定情報を電気信号として回線選択制御機能部７に出力し、回線選択制御機能部７は、入力される電気信号からユーザー設定情報を認識する（Ｓ２）。
【００３３】
上述の動作は、無線通信手段を選択する動作を行う為の下準備である。この動作は、後述の「（４）無線通信手段の選択」にて詳細を説明する。
【００３４】
（２）各無線通信手段における受信電波強度の測定
続いて、本実施形態の無線通信機器は、各無線通信手段において、現在、受信している電波の強度を、以下の通りに測定する。
【００３５】
まず、ＷＬＡＮ通信機能部２は、所定のタイミングになると、その時、受信している電波の強度（以下、「受信電波強度」という）を測定し、図３に示されるように、測定した受信電波強度を示す信号をＷＬＡＮ制御機能部４に出力する（Ｓ３）。
【００３６】
さらに、ＷＬＡＮ制御機能部４は、図示していないが、受信電波強度を示す信号が入力されると、その信号から受信電波強度を認識し、認識した受信電波強度を、現在の受信電波強度として記憶する。
【００３７】
一方、ＬＴＥ／３Ｇ通信機能部３も、所定のタイミングになると、その時の受信電波強度を測定し、図３に示されるように、測定した受信電波強度を示す信号をＬＴＥ／３Ｇ制御機能部５に出力する（Ｓ４）。
【００３８】
さらに、ＬＴＥ／３Ｇ制御機能部５は、図示していないが、受信電波強度を示す信号が入力されると、その信号から受信電波強度を認識し、認識した受信電波強度を、現在の受信電波強度として記憶する。
【００３９】
（３）各無線通信手段における消費電力量の推定
次に、本実施形態の無線通信機器は、無線通信手段毎に、現在の受信電波強度で無線通信網と通信を行ったとしたら、どの程度、電力量を消費するのかを推定する。具体的には、以下の通りである。
【００４０】
まず、省電力制御機能部６は、所定のタイミングになると、図３に示されるように、Ｐｒｏｆｉｌｅと現在の受信電波強度を要求する信号を、ＷＬＡＮ制御機能部４に出力する（Ｓ５）。
【００４１】
上述の所定のタイミングは、Ｓ３やＳ４で用いた所定のタイミングより後のタイミングが本実施形態の無線通信機器のユーザーによって、省電力制御機能部６に設定される。また、Ｐｒｏｆｉｌｅは、上述の［構成の説明］に説明した通り、受信電波強度と、その受信電波強度であったときにＷＬＡＮ方式の無線通信網と通信するとＷＬＡＮ通信機能部２が消費すると推定される電力量とが対応づけられたテーブルである。Ｐｒｏｆｉｌｅは、本実施形態の無線通信機器のユーザーによって、ＷＬＡＮ制御機能部４に設定されている。
【００４２】
次に、ＷＬＡＮ制御機能部４は、Ｐｒｏｆｉｌｅと現在の受信電波強度を要求する信号が入力されると、記憶する現在の受信電波強度、Ｐｒｏｆｉｌｅ、及び自身に対応する識別子を電気信号として、省電力制御機能部６に出力する（Ｓ６）。ここで出力される電気信号は、以下、「情報通知信号」という。
【００４３】
次に、省電力制御機能部６は、図示していないが、情報通知信号が入力されると、その信号から現在の受信電波強度、Ｐｒｏｆｉｌｅ、及び識別子を認識し、識別子から、現在の受信電波強度、ＰｒｏｆｉｌｅがＷＬＡＮ制御機能部４から通知されたものと判別する。さらに、省電力制御機能部６は、現在の受信電波強度、ＰｒｏｆｉｌｅがＷＬＡＮ制御機能部４から通知されたものと判別すると、その受信電波強度とＰｒｏｆｉｌｅを、ＷＬＡＮ通信機能部２の現在の受信電波強度とＰｒｏｆｉｌｅとして記憶する。
【００４４】
一方、省電力制御機能部６は、図３に示されるように、ＬＴＥ／３Ｇ制御機能部５にもＰｒｏｆｉｌｅと現在の受信電波強度を要求する信号を出力する（Ｓ７）。
【００４５】
次に、ＬＴＥ／３Ｇ制御機能部５は、Ｐｒｏｆｉｌｅと現在の受信電波強度を要求する信号が入力されると、記憶する現在の受信電波強度、Ｐｒｏｆｉｌｅ、及び自身に対応する識別子を電気信号、すなわち情報通知信号として省電力制御機能部６に出力する（Ｓ８）。
【００４６】
次に省電力制御機能部６は、図示していないが、情報通知信号が入力されると、その信号から現在の受信電波強度、Ｐｒｏｆｉｌｅ、及び識別子を認識し、識別子から現在の受信電波強度、ＰｒｏｆｉｌｅがＬＴＥ／３Ｇ制御機能部５から通知されたものと判別する。
さらに、省電力制御機能部６は、現在の受信電波強度、ＰｒｏｆｉｌｅがＬＴＥ／３Ｇ制御機能部５から通知されたものと判別すると、その受信電波強度とＰｒｏｆｉｌｅを、ＬＴＥ／３Ｇ通信機能部３の現在の受信電波強度とＰｒｏｆｉｌｅとして記憶する。
【００４７】
次に、省電力制御機能部６は、図示していないが、無線通信手段毎に、現在の受信電波強度で通信網と通信を行ったとしたら、どの程度、電力量を消費するのかを推定する。
【００４８】
具体的には、省電力制御機能部６は、記憶しているＷＬＡＮ制御機能部４の現在の受信電波強度とＰｒｏｆｉｌｅを読み出し、読み出した現在の受信電波強度に対応する電力量をＰｒｏｆｉｌｅから求める。ここで求めた電力量は、以下「ＷＬＡＮ通信機能部２の推定消費電力量」という。さらに、省電力制御機能部６は、記憶しているＬＴＥ／３Ｇ制御機能部５の現在の受信電波強度とＰｒｏｆｉｌｅを読み出し、読み出した現在の受信電波強度に対応する電力量をＰｒｏｆｉｌｅから求める。ここで求めた電力量は、以下「ＬＴＥ／３Ｇ通信機能部３の推定消費電力量」という。なお、現在の受信電波強度がＰｒｏｆｉｌｅにない場合には、省電力制御機能部６は、現在の受信電波強度に最も近い受信電波強度に対応する電力量をＰｒｏｆｉｌｅから求める。
【００４９】
次に、省電力制御機能部６は、ＷＬＡＮ通信機能部２の現在の受信電波強度と推定消費電力量、さらにＬＴＥ／３Ｇ通信機能部３の現在の受信電波強度と推定消費電力量を記憶する（Ｓ９）。ここで記憶した情報は、以下「最適化情報」という。図３では、本動作を、最適化情報生成と記載している。
【００５０】
一方、回線選択制御機能部７は、図３に示されるように、ユーザー設定情報が入力された後、所定のタイミングになると、最適化情報を要求する信号を省電力制御機能部６に出力する（Ｓ１０）。なお、ここでの所定のタイミングは、回線選択制御機能部７が最適化情報を取得できるように、上述のＳ５で用いられる所定のタイミングから十分時間が経過したタイミングとする。
【００５１】
次に、省電力制御機能部６は、最適化情報を要求する信号が入力されると、図３に示されるように、記憶する最適化情報を読み出し、最適化情報を示す信号を回線選択制御機能部７に出力する（Ｓ１１）。
【００５２】
（４）無線通信手段の選択
次に、回線選択制御機能部７は、最適化情報を示す信号が入力されると、その信号から最適化情報を認識し、最適化情報と、上述のＳ１〜Ｓ２で取得したユーザー設定情報を基に、通信を行う無線通信手段を選択する（Ｓ１２）。
【００５３】
具体的には、回線選択制御機能部７は、まず、ユーザー設定情報からどのような無線通信手段を優先的に選択するかを認識する。ここで、ユーザー設定情報は、消費電力のより小さな無線通信手段を優先的に選択するものである。よって、回線選択制御機能部７は、まず、消費電力のより小さな無線通信手段を優先的に選択すると認識する。この場合、回線選択制御機能部７は、最適化情報から推定消費電力のより小さな無線通信手段を求める。最適化情報には、各無線通信手段の推定消費電力が含まれているので、回線選択制御機能部７は、推定消費電力のより小さな無線通信手段を求めることができる。
【００５４】
ここで、回線選択制御機能部７は、推定消費電力のより小さな無線通信手段としてＷＬＡＮ通信機能部２が求められたとすると、ＷＬＡＮ通信機能部２を、通信を行う無線通信手段として選択する。一方、回線選択制御機能部７は、推定消費電力のより小さな無線通信手段としてＬＴＥ／３Ｇ通信機能部３が求められたとすると、ＬＴＥ／３Ｇ通信機能部３を、通信を行う無線通信手段として選択する。
【００５５】
（５）無線通信手段の接続
次に、回線選択制御機能部７は、上述のＳ１２において、通信を行う無線通信手段として、ＷＬＡＮ通信機能部２を選択した場合には、ＷＬＡＮ通信機能部２を用いて、ＷＬＡＮ方式の通信網に接続する。
【００５６】
具体的には、回線選択制御機能部７は、図３に示されるように、ＷＬＡＮ通信機能部２に接続されているＷＬＡＮ制御機能部４に対し、回線接続を指示する信号を出力する（Ｓ１３）。
【００５７】
次に、ＷＬＡＮ制御機能部４は、回線接続を指示する信号が入力されると、その信号をＷＬＡＮ通信機能部２に出力する（Ｓ１４）。
【００５８】
次に、ＷＬＡＮ通信機能部２は、図示していないが、回線接続を指示する信号が入力されると、ＷＬＡＮ方式で無線通信を行う機能を起動して、ＷＬＡＮ方式の無線通信網に接続し、ＷＬＡＮ方式の無線通信網と無線通信を行う。
【００５９】
また、回線選択制御機能部７は、上述のＳ１２において選択しなかったＬＴＥ／３Ｇ通信機能部３の機能を以下の通りに停止する。
【００６０】
まず、回線選択制御機能部７は、図３に示されるように、ＬＴＥ／３Ｇ制御機能部５に対し、機能ＯＦＦを指示する信号を出力する（Ｓ１５）。
【００６１】
次に、ＬＴＥ／３Ｇ制御機能部５は、機能ＯＦＦを指示する信号が入力されると、その信号をＬＴＥ／３Ｇ通信機能部３に出力する（Ｓ１６）。
【００６２】
次に、ＬＴＥ／３Ｇ通信機能部３は、図示していないが、機能ＯＦＦを指示する信号が入力されると、受信電波強度を測定して出力する機能以外、自身の機能を停止する。
【００６３】
一方、回線選択制御機能部７は、上述のＳ１２において、通信を行う無線通信手段として、ＬＴＥ／３Ｇ通信機能部３を選択した場合には、ＬＴＥ／３Ｇ通信機能部３を用いて、ＬＴＥ方式の無線通信網に接続する。
【００６４】
具体的には、回線選択制御機能部７は、図４に示されるように、ＬＴＥ／３Ｇ通信機能部３に接続されているＬＴＥ／３Ｇ制御機能部５に対し、回線接続を指示する信号を出力する（Ｓ２３）。
【００６５】
次に、ＬＴＥ／３Ｇ制御機能部５は、回線接続を指示する信号が入力されると、その信号をＬＴＥ／３Ｇ通信機能部３に出力する（Ｓ２４）。
【００６６】
次に、ＬＴＥ／３Ｇ通信機能部３は、図示していないが、回線接続を指示する信号が入力されると、ＬＴＥ方式で無線通信を行う機能を起動して、ＬＴＥ方式の無線通信網に接続し、ＬＴＥ方式の無線通信網と無線通信を行う。
【００６７】
また、回線選択制御機能部７は、上述のＳ１２において選択しなかったＷＬＡＮ通信機能部２の機能を以下の通りに停止する。
【００６８】
まず、回線選択制御機能部７は、図４に示されるように、ＷＬＡＮ制御機能部４に対し、機能ＯＦＦを指示する信号を出力する（Ｓ２５）。
【００６９】
次に、ＷＬＡＮ制御機能部４は、機能ＯＦＦを指示する信号が入力されると、その信号をＷＬＡＮ通信機能部２に出力する（Ｓ２６）。
【００７０】
次に、ＷＬＡＮ通信機能部２は、図示していないが、機能ＯＦＦを指示する信号が入力されると、受信電波強度を測定して出力する機能以外、自身の機能を停止する。
【００７１】
（６）Ｐｒｏｆｉｌｅの更新処理
続いて、本実施形態の無線通信機器は、図示していないが、Ｐｒｏｆｉｌｅを更新する。この動作により、本実施形態の無線通信機器は、Ｐｒｏｆｉｌｅに含まれる各無線通信部の推定消費電力量と受信電波強度を、より精度の高い値にすることができる。その結果、本実施形態の無線通信機器は、次に無線通信手段の選択を行う際に、より精度よく消費電力量の少ない無線通信手段を選択することができるようになる。その動作を以下に説明する。
【００７２】
まず、無線通信を行う機能を起動している無線通信手段、例えばＷＬＡＮ通信機能部２は、所定のタイミングになると、受信電波強度に加えて、自身の消費電力量も測定し、測定した受信電波強度と消費電力量を示す信号をＷＬＡＮ制御機能部４に出力する。無線通信を行う機能を起動しているのがＬＴＥ／３Ｇ通信機能部３であれば、ＬＴＥ／３Ｇ通信機能部３は、所定のタイミングに、受信電波強度に加えて、自身の消費電力量も測定し、測定した受信電波強度と消費電力量を示す信号をＬＴＥ／３Ｇ制御機能部５に出力する。
【００７３】
次に、受信電波強度と消費電力量を示す信号が入力されたＷＬＡＮ制御機能部４とＬＴＥ／３Ｇ制御機能部５は、入力された信号から受信電波強度と消費電力量とを認識し、認識した受信電波強度と消費電力量とを関連づけてＰｒｏｆｉｌｅに追加し、記憶する。
【００７４】
なお、受信電波強度と消費電力量をＰｒｏｆｉｌｅに追加する際に、同じ受信電波強度がＰｒｏｆｉｌｅに存在するときは、ＷＬＡＮ制御機能部４とＬＴＥ／３Ｇ制御機能部５は、Ｐｒｏｆｉｌｅにおいて、当該受信電波強度に関連づけられている電力量を求める。さらに、電力量を求めたＷＬＡＮ制御機能部４とＬＴＥ／３Ｇ制御機能部５は、求めた電力量と、Ｐｒｏｆｉｌｅに今回、追加しようとする消費電力量との平均値を求める。次に、ＷＬＡＮ制御機能部４とＬＴＥ／３Ｇ制御機能部５は、Ｐｒｏｆｉｌｅにおいて当該受信電波強度に関連づけられている電力量を、求めた平均値に書き換え、Ｐｒｏｆｉｌｅを更新し、記憶する。
【００７５】
なお、ＷＬＡＮ制御機能部４とＬＴＥ／３Ｇ制御機能部５は、受信電波強度と電力量を示す信号が入力された際、その信号から認識した受信電波強度を、現在の受信電波強度として記憶する。
【００７６】
上述の動作の結果、Ｐｒｏｆｉｌｅには、ＷＬＡＮ制御機能部４とＬＴＥ／３Ｇ制御機能部５が通信を行う際に実際に消費した電力量と受信電波強度が対応づけて反映される。その為、本実施形態の無線通信機器は、ユーザーがＰｒｏｆｉｌｅに適当な任意の受信電波強度と電力量を設定していたとしても、Ｐｒｏｆｉｌｅに含まれる各無線通信部の推定消費電力量と受信電波強度を、より精度の高い値にすることができる。その結果、本実施形態の無線通信機器は、次に無線通信手段の選択を行うときには、より精度よく、消費電力量の少ない無線通信手段を選択することができるようになる。
【００７７】
［効果の説明］
本実施形態によれば、無線通信機器は、消費電力量の少ない無線通信手段、すなわち通信回線を、より正確に選択することができる。
【００７８】
その理由としては、本実施形態の無線通信機器は、受信電波の強度によって無線通信手段の消費電力量が変動することに対応し、受信電波の強度に応じて各無線通信手段の消費電力量を求め、消費電力量のより少ない無線通信手段を選択するからである。
【００７９】
その結果、本実施形態の無線通信機器は、受信電波の強度の変動によって消費電力量が増減することを考慮せずに無線通信手段を選択する特許文献１よりも、正確に消費電力量の少ない無線通信手段を選択することができる。
【００８０】
さらに、本実施形態の無線通信機器は、Ｐｒｏｆｉｌｅに含まれる各無線通信部の推定消費電力量と受信電波強度を、より精度の高い値にすることができる。
【００８１】
その理由としては、本実施形態の無線通信機器は、通信網と通信を行う無線通信手段について、実際に消費電力量と受信電波強度とを測定し、測定した結果をＰｒｏｆｉｌｅに更新していくからである。
【００８２】
その結果、本実施形態の無線通信機器は、次に無線通信手段の選択を行うときには、より精度よく消費電力量の少ない通信機能部を選択することができるようになる。
【００８３】
（７）無線通信手段の他の選択方法
上述では、ユーザー設定情報が、消費電力のより小さな無線通信手段を優先的に選択することが示された情報である場合の本実施形態の無線通信機器の動作について説明した。以下では、本実施形態の無線通信機器のユーザーが、別のユーザー設定情報を設定したときの本実施形態の無線通信機器の動作について説明する。
【００８４】
（７−１）ユーザー設定情報が、切断されにくい無線通信手段を優先的に選択することが示された情報であった場合
始めに、ユーザー設定情報が、受信した電波の強度が最も高く、切断されにくい無線通信手段を優先的に選択することが示された情報であった場合の本実施形態の無線通信機器の動作について説明する。この場合、本実施形態の無線通信機器は、以下のように動作する。
【００８５】
まず、回線選択制御機能部７は、受信する電波の強度が最も高い無線通信手段を優先的に選択すると認識する。次に、回線選択制御機能部７は、最適化情報から受信する電波の強度、すなわち受信電波強度が最も高い無線通信手段を求める。最適化情報は、各無線通信手段の受信電波強度を含んでいるので、回線選択制御機能部７は、受信電波強度が最も高い無線通信手段を求めることができる。
【００８６】
次に、回線選択制御機能部７は、ＬＴＥ／３Ｇ通信機能部３の受信電波強度よりもＷＬＡＮ通信機能部２の受信電波強度の方が強いと判断した場合、ＷＬＡＮ通信機能部２を、通信を行う無線通信手段として選択する。
一方、回線選択制御機能部７は、ＷＬＡＮ通信機能部２の受信電波強度よりもＬＴＥ／３Ｇ通信機能部３の受信電波強度の方が強いと判断した場合、ＬＴＥ／３Ｇ通信機能部３を、通信を行う無線通信手段として選択する。
【００８７】
なお、上述のＬＴＥ／３Ｇ通信機能部３は、ＬＴＥ方式ではなく、３Ｇ方式で無線通信を行う為の一般的な無線通信機能を有する機能部であってもよい。この場合、ＬＴＥ／３Ｇ通信機能部３は、回線接続を指示する信号が入力されると、３Ｇ方式で無線通信を行う機能を起動し、３Ｇ方式の無線通信網と接続する。また、ＬＴＥ／３Ｇ通信機能部３は、機能ＯＦＦを指示する信号が入力されると、３Ｇ方式で無線通信を行う機能を停止する。
【００８８】
本実施形態の無線通信機器は、受信電波強度が最も高い無線通信手段を優先的に選択するので、切断されにくい無線通信手段を優先的に選択することができる。
【００８９】
（７−２）ユーザー設定情報が、ＷＬＡＮ方式に対応する無線通信手段を優先的に選択することが示された情報であった場合
次に、ユーザー設定情報が、ＷＬＡＮ方式に対応する無線通信手段を優先的に選択することが示された情報の本実施形態の無線通信機器の動作について説明する。この場合、本実施形態の無線通信機器は、以下のように動作する。
【００９０】
まず、回線選択制御機能部７は、ＷＬＡＮ方式に対応する無線通信手段に優先的に選択すると認識する。この場合、回線選択制御機能部７は、ＷＬＡＮ方式に対応する無線通信手段が通信網に接続可能かを確認する。具体的には、回線選択制御機能部７は、ＷＬＡＮ通信機能部２における受信電波強度を最適化情報から認識し、その強度が所定値以上であれば、ＷＬＡＮ通信機能部２が通信網に接続可能と判断する。そして、ＷＬＡＮ通信機能部２が通信網に接続可能と判断した回線選択制御機能部７は、ＷＬＡＮ通信機能部２を、通信を行う無線通信手段として選択する。すなわち、本実施形態の無線通信機器は、ＷＬＡＮ方式に対応する無線通信手段を優先的に選択する。なお、ＷＬＡＮ通信機能部２が通信網に接続可能でないと判断した場合には、回線選択制御機能部７は、別の無線通信手段、すなわちＬＴＥ／３Ｇ通信機能部３を、通信を行う無線通信手段として選択する。
【００９１】
（７−３）ユーザー設定情報が、ＬＴＥ／３Ｇ方式に対応する無線通信手段を優先的に選択することが示された情報であった場合
次に、ユーザー設定情報が、ＬＴＥ方式、若しくは３Ｇ方式に対応する無線通信手段を優先的に選択することが示された情報であった場合の本実施形態の無線通信機器の動作について説明する。この場合、本実施形態の無線通信機器は、以下のように動作する。
【００９２】
まず、回線選択制御機能部７は、ＬＴＥ方式、若しくは３Ｇ方式に対応する無線通信手段を優先的に選択すると認識する。この場合、回線選択制御機能部７は、ＬＴＥ／３Ｇ通信機能部３が通信網に接続可能かを確認する。具体的には、回線選択制御機能部７は、ＬＴＥ／３Ｇ通信機能部３の受信電波強度を最適化情報から認識し、その強度が所定値以上でれば、ＬＴＥ／３Ｇ通信機能部３が通信網に接続可能と判断する。そして、ＬＴＥ／３Ｇ通信機能部３が通信網に接続可能と判断した回線選択制御機能部７は、通信を行う無線通信手段として、ＬＴＥ／３Ｇ通信機能部３を選択する。すなわち、本実施形態の無線通信機器は、ＬＴＥ／３Ｇ方式に対応する無線通信手段を優先的に選択する。なお、ＬＴＥ／３Ｇ通信機能部３が通信網に接続可能でないと判断した場合には、回線選択制御機能部７は、通信を行う無線通信手段として、ＷＬＡＮ通信機能部２を、通信を行う無線通信手段として選択する。
【００９３】
なお、上記では、本実施形態の無線通信機器は、無線通信手段を２つ備える場合を記載しているが、この限りではない。３つ以上備えていても良い。
【００９４】
［第２の実施の形態］
次に、本発明の第２の実施の形態について説明する。第２の実施の形態の無線通信機器は、通信が不慮に切断されることの少ない無線通信手段であるかを確認した上で、無線通信手段の選択を行うものである。第２の実施の形態の無線通信機器の具体的な構成や動作について、以下に説明を行う。
【００９５】
［構成の説明］
図５は、本発明の第２の実施の形態におけるにおける無線通信機器の構成例を示す図である。第２の実施の形態における無線通信機器は、図５に示されるように、ＷＬＡＮ通信機能部２と、ＬＴＥ／３Ｇ通信機能部３の代わりに、ＷＬＡＮ通信機能部２２と、ＬＴＥ／３Ｇ通信機能部２３を備える。また、第２の実施の形態における無線通信機器は、ＷＬＡＮ制御機能部４と、ＬＴＥ／３Ｇ制御機能部５の代わりに、ＷＬＡＮ制御機能部２４と、ＬＴＥ／３Ｇ制御機能部２５を備える。さらに、第２の実施の形態における無線通信機器は、図５に示されるように、省電力制御機能部６と、回線選択制御機能部７の代わりに、省電力制御機能部２６と、回線選択制御機能部２７を備える。
【００９６】
ＷＬＡＮ通信機能部２２は、機能ＯＮを指示する信号が入力されると、ＷＬＡＮ方式で無線通信を行う機能を起動する。
【００９７】
ＬＴＥ／３Ｇ通信機能部２３は、機能ＯＮを指示する信号が入力されると、ＬＴＥ方式で無線通信を行う機能を起動する。
【００９８】
ＷＬＡＮ制御機能部２４は、無線通信網と通信中、すなわちＷＬＡＮ方式の無線通信網と接続しているときには、通信の切断の有無を監視し、通信の切断を検知すると、その理由を公知の技術で判別する。具体的には、ＷＬＡＮ制御機能部２４は、無線通信網に出力し、無線通信網から応答が返される公知の所定信号について、所定の時間内に応答があるかを監視し、応答がないことをもって、通信の切断（以下、「通信断」という）を検知する。ここで、上述の通信断の理由とは、通信断がユーザーによる通信断、若しくは圏外となったことによる通信断、若しくは網からの強制切断による通信断のいずれかを指す。通信断の理由を判別するとは、通信断がユーザーによる通信断、若しくは圏外となったことによる通信断、若しくは網からの強制切断による通信断のいずれかなのかを判別することを指す。
【００９９】
ＷＬＡＮ制御機能部２４は、以下のように通信断の理由を判別してもよい。本実施形態の無線通信機器は、通話ボタンが押下されたことを契機に通信を切断する通話終了機能部を備え、通信を終了したいユーザーによって通話ボタンが押下されると、通話終了機能部は、通信を切断する。次に、通話終了機能部は、通信を切断すると、ユーザーによって通信が終了されたことを示す信号をＷＬＡＮ制御機能部２４に通知する。次に、ＷＬＡＮ制御機能部２４は、ユーザーによって通信が終了されたことを示す信号が入力されると、ユーザーによる通信断と判別する。また、ＷＬＡＮ制御機能部２４は、無線通信手段を介し、通信網から網による通信断を示す公知の信号を通信網から受信すると、網による通信断と判別する。さらに、ＷＬＡＮ制御機能部２４は、通信断を検知し、さらに受信電波強度が所定の間、所定値以下であるときに、圏外による通信断と判別する。所定の間と所定値は、本実施形態の無線通信機器のユーザーによって、ＷＬＡＮ制御機能部２４に設定される。
【０１００】
また、ＷＬＡＮ制御機能部２４は、通信断の理由を判別すると、判別した通信断の理由に対応する信号を出力する。なお、この際、ＷＬＡＮ制御機能部２４は、通信断の理由に対応する信号に、自身を示す識別子を付加して出力する。さらに、ＷＬＡＮ制御機能部２４は、機能ＯＮを指示する信号が入力されると、その信号を出力する。
【０１０１】
ＬＴＥ／３Ｇ制御機能部２５も、ＷＬＡＮ制御機能部２４と同じ機能を有する。すなわち、ＬＴＥ／３Ｇ制御機能部２５は、無線通信網と通信中、すなわちＬＴＥ方式の無線通信網と接続しているときには、通信断の有無を監視し、通信断を検知すると、その理由を公知の技術で判別する。具体的には、ＬＴＥ／３Ｇ制御機能部２５は、無線通信網に出力し、無線通信網から応答が返される公知の所定メッセージについて、所定の時間内に応答があるかを監視し、応答がないことをもって、通信断を検知する。
【０１０２】
また、通信断の理由については、ＬＴＥ／３Ｇ制御機能部２５は、以下のように判別してもよい。ＬＴＥ／３Ｇ制御機能部２５は、網からの強制切断を示す公知の解放メッセージが通信網から通知されたら、網からの強制切断と判別してもよい。また、ＬＴＥ／３Ｇ制御機能部２５は、受信電波の強度が所定値よりも小さいことが所定時間続き、公知の解放メッセージが通信網から通知されたら、圏外となったことによる通信断と判別してもよい。公知の解放メッセージは、ＲＲＣ  Ｓｉｇｎａｌｉｎｇ  Ｂｅａｒｅｒ  Ｒｅｌｅａｓｅであってもよい。ＬＴＥ／３Ｇ制御機能部２５は、受信電波の強度が所定値よりも小さいことが所定時間続いていないのに、公知の解放メッセージが通信網から通知されたら、通信断がユーザーによる通信断と判別してもよい。所定値や所定時間は、本実施形態の無線通信機器のユーザーによって、ＬＴＥ／３Ｇ制御機能部２５に設定される。
【０１０３】
ＬＴＥ／３Ｇ制御機能部２５は、通信断の理由を判別すると、判別した通信断の理由に対応する信号を出力する。なお、この際、ＬＴＥ／３Ｇ制御機能部２５は、通信断の理由に対応する信号に、自身を示す識別子を付加して出力する。さらに、ＬＴＥ／３Ｇ制御機能部２５は、機能ＯＮを指示する信号が入力されると、その信号を出力する。
【０１０４】
省電力制御機能部２６は、通信断の理由に対応する信号（以下、「切断理由通知信号」という）が入力されると、その信号から通信断の理由を認識する。また、省電力制御機能部２６は、切断理由通知信号が、ＷＬＡＮ制御機能部２４、ＬＴＥ／３Ｇ制御機能部２５のいずれから出力されたものかを、その信号に付与されている識別子より認識する。さらに、省電力制御機能部２６は、無線通信手段毎にスコアを保持している。スコアとは、無線通信手段が無線通信網と通信を繰り返し行う中で、通信が本実施形態の無線通信機器のユーザーによって正常に終了される頻度を示す数値である。すなわち、スコアは、通信が不慮に切断されない頻度を示す数値である。各スコアの初期値は、本実施形態の無線通信機器のユーザーによって、省電力制御機能部２６に設定される。
【０１０５】
省電力制御機能部２６は、切断理由通知信号がＷＬＡＮ制御機能部２４から出力されたものであり、通信断の理由が圏外となったことによる通信断である場合には、ＷＬＡＮ通信機能部２２のスコアを、現在のスコアから所定数減算した値とする。また、省電力制御機能部２６は、切断理由通知信号がＷＬＡＮ制御機能部２４から出力されたものであり、通信断の理由が網からの強制切断による通信断である場合には、ＷＬＡＮ通信機能部２２のスコアを、現在のスコアから所定数減算した値とする。さらに、省電力制御機能部２６は、切断理由通知信号がＷＬＡＮ制御機能部２４から出力されたものであり、通信断の理由がユーザーによる通信断である場合には、ＷＬＡＮ通信機能部２２のスコアを、現在のスコアから所定数加算した値とする。同様に、省電力制御機能部２６は、切断理由通知信号がＬＴＥ／３Ｇ制御機能部２５から出力されたものであり、通信断の理由が圏外となったことによる通信断である場合には、ＬＴＥ／３Ｇ通信機能部２３のスコアを、現在のスコアから所定数減算した値とする。所定数は、本実施形態の無線通信機器のユーザーによって、省電力制御機能部２６に設定される。
【０１０６】
省電力制御機能部２６は、ＷＬＡＮ通信機能部２２のスコアと、ＬＴＥ／３Ｇ通信機能部２３のスコアを加えた最適化情報を生成し、記憶する。すなわち、記憶された最適化情報は、ＷＬＡＮ通信機能部２における現在の受信電波強度、推定消費電力、及びそのスコア、さらにＬＴＥ／３Ｇ通信機能部３における現在の受信電波強度、推定消費電力、及びそのスコアを含むものとなる。省電力制御機能部２６は、最適化情報を生成すると、機能ＯＮを指示する信号を出力する。
【０１０７】
回線選択制御機能部２７は、切断理由通知信号が入力されると、その信号を出力する。また、回線選択制御機能部２７は、通信を行う無線通信手段を選択する際、最適化情報に含まれるスコアを加味して選択する。具体的には、回線選択制御機能部２７は、通信を行う無線通信手段を選択すると、その無線通信手段のスコアが所定値以上かを確認する。回線選択制御機能部２７は、選択した無線通信手段のスコアが所定値以上でなければ、選択していた無線通信手段とは別の任意の無線通信手段を、通信を行う無線通信手段として新たに選択する。回線選択制御機能部２７は、選択した無線通信手段のスコアが所定値以上であれば、通信を行う無線通信手段を変更しない。
【０１０８】
なお、上述した以外の構成や機能は、第１の実施の形態のおける無線通信端末を適用した無線通信機器と同じであるので、同一の符号を付して説明を省略する。
【０１０９】
［動作の説明］
図６は、本発明の第２の実施の形態における無線通信機器の動作（ＷＬＡＮ方式の通信網と通信を行っている最中に通信が切断した場合の動作）を説明する為の図である。また、図７は、本発明の第２の実施の形態における無線通信機器の動作（ＬＴＥ方式の通信網と通信を行っている最中に通信が切断した場合の動作）を説明する為の図である。図６、７を用いて、本実施形態の無線通信機器の無線通信手段を選択する動作を説明する。なお、説明は、ＷＬＡＮ方式の通信網と通信を行っている最中に通信が切断した場合と、ＬＴＥ方式の通信網と通信を行っている最中に通信が切断した場合の動作とに分けて説明する。
【０１１０】
（１）ＷＬＡＮ方式の通信網と通信を行っている最中に通信が切断した場合の動作
まず、ＷＬＡＮ制御機能部２４は、図示していないが、ＷＬＡＮ方式の無線通信網と通信中、すなわち無線通信網と接続しているときには、通信の切断（以下、「通信断」という）の有無を監視する。具体的には、ＷＬＡＮ制御機能部２４は、無線通信網に出力し、無線通信網から応答が返される公知の所定信号について、所定の時間内に応答があるかを監視する。ＷＬＡＮ制御機能部２４は、所定の時間内に応答がないことをもって、通信断を検知したとする。上述の無線通信網から応答が返される公知の所定信号は、Ｌ２リンクの信号であってもよい。所定信号や所定の時間は、本実施形態の無線通信機器のユーザーによって設定される。
【０１１１】
次に、ＷＬＡＮ制御機能部２４は、通信断を検知すると、通信断の理由、すなわちユーザーによる通信断か、圏外となったことによる通信断か、網からの強制切断による通信断なのかを公知の技術で判別する。
【０１１２】
例えば、ＷＬＡＮ制御機能部２４は、以下のように通信断の理由を判別してもよい。本実施形態の無線通信機器は、通信を切断する機能を備えたボタンを有し、通信を終了したいユーザーがボタンを押下すると、ボタンは、通信を切断した後、ユーザーによって通信が終了されたことを示す信号をＷＬＡＮ制御機能部２４に通知する。次に、ＷＬＡＮ制御機能部２４は、ユーザーによって通信が終了されたことを示す信号が入力されると、ユーザーによる通信断と判別する。また、ＷＬＡＮ制御機能部２４は、無線通信手段を介し、通信網から網による通信断を示す公知の信号を受信すると、網による通信断と判別する。さらに、ＷＬＡＮ制御機能部２４は、通信断を検知し、さらに受信電波強度が所定の間、所定値以下であるときには、圏外による通信断と判別する。所定の間と所定値は、本実施形態の無線通信機器のユーザーによって、ＷＬＡＮ制御機能部２４に設定される。
【０１１３】
次に、ＷＬＡＮ制御機能部２４は、通信断の理由を判別すると、図６に示されるように、通信断の理由に対応する信号（以下、「切断理由通知信号」という）を回線選択制御機能部２７に出力する（Ｓ３０）。なお、この際、ＷＬＡＮ制御機能部２４は、切断理由通知信号に、自身を示す識別子を付加して出力する。
【０１１４】
次に、回線選択制御機能部２７は、切断理由通知信号が入力されると、その信号を省電力制御機能部２６に出力する（Ｓ３１）。
【０１１５】
次に、省電力制御機能部２６は、切断理由通知信号が入力されると、無線通信手段毎にスコアを算出し、スコアを含む最適化情報を生成する（Ｓ３２）。具体的には、省電力制御機能部２６は、以下のように動作する。なお、スコアとは、上述の［構成の説明］でも述べたが、無線通信手段が無線通信網と通信を繰り返し行う中で、通信が本実施形態の無線通信機器のユーザーによって正常に終了される頻度を示す数値である。すなわち、スコアは、通信が不慮に切断されない頻度、つまり通信の安定性を示す数値である。省電力制御機能部２６は、無線通信手段毎にスコアを保持する。
【０１１６】
まず、省電力制御機能部２６は、切断理由通知信号が入力されると、その信号から通信断の理由を認識する。次に、省電力制御機能部２６は、切断理由通知信号が、ＷＬＡＮ制御機能部２４、ＬＴＥ／３Ｇ制御機能部２５のいずれから出力されたものかを、その信号に付与されている識別子より認識する。次に、省電力制御機能部２６は、切断理由通知信号がＷＬＡＮ制御機能部２４から出力されたものであり、通信断の理由が圏外となったことによる通信断である場合には、ＷＬＡＮ通信機能部２２のスコアを、現在のスコアから所定数減算した値とする。ＷＬＡＮ通信機能部２２は、初めて減算又は加算するときには、現在のスコアとして、所定の初期値を用いる。また、省電力制御機能部２６は、切断理由通知信号がＷＬＡＮ制御機能部２４から出力されたものであり、通信断の理由が網からの強制切断による通信断である場合には、ＷＬＡＮ通信機能部２２のスコアを、現在のスコアから所定数減算した値とする。さらに、省電力制御機能部２６は、切断理由通知信号がＷＬＡＮ制御機能部２４から出力されたものであり、通信断の理由がユーザーによる通信断である場合には、ＷＬＡＮ通信機能部２２のスコアを、現在のスコアから所定数加算した値とする。同様に、省電力制御機能部２６は、切断理由通知信号がＬＴＥ／３Ｇ制御機能部２５から出力されたものであり、通信断の理由が圏外となったことによる通信断である場合には、ＬＴＥ／３Ｇ通信機能部２３のスコアを、現在のスコアから所定数減算した値とする。また、省電力制御機能部２６は、切断理由通知信号がＬＴＥ／３Ｇ制御機能部２５から出力されたものであり、通信断の理由が網からの強制切断による通信断である場合には、ＬＴＥ／３Ｇ通信機能部２３のスコアを、現在のスコアから所定数減算した値とする。さらに、省電力制御機能部２６は、切断理由通知信号がＬＴＥ／３Ｇ制御機能部２５から出力されたものであり、通信断の理由がユーザーによる通信断である場合には、ＬＴＥ／３Ｇ通信機能部２３のスコアを、現在のスコアから所定数加算した値とする。次に、省電力制御機能部２６は、ＷＬＡＮ通信機能部２２のスコアと、ＬＴＥ／３Ｇ通信機能部２３のスコアを加えた最適化情報を生成し、記憶する。記憶された最適化情報は、ＷＬＡＮ通信機能部２における現在の受信電波強度、推定消費電力、及びそのスコア、さらにＬＴＥ／３Ｇ通信機能部３における現在の受信電波強度、推定消費電力、及びそのスコアを含むものとなる。
【０１１７】
次に、省電力制御機能部２６は、各無線通信手段のスコアを含む最適化情報を生成すると、図６に示されるように、機能ＯＮを指示する信号をＬＴＥ／３Ｇ制御機能部２５に出力する（Ｓ３３）。
【０１１８】
ＬＴＥ／３Ｇ制御機能部２５は、機能ＯＮを指示する信号が入力されると、その信号をＬＴＥ／３Ｇ通信機能部２３に出力する（Ｓ３４）。
【０１１９】
ＬＴＥ／３Ｇ通信機能部２３は、機能ＯＮを指示する信号が入力されると、ＬＴＥ方式で無線通信を行う機能を起動する（Ｓ３５）。なお、ＬＴＥ／３Ｇ通信機能部２３は、ＬＴＥ方式の無線通信網と接続していない状態である。この状態を図６では、回線接続待ち状態と記している。なお、ＷＬＡＮ通信機能部２４についても、回線接続を指示する信号が入力されておらず、ＷＬＡＮ方式の無線通信網と接続していない状態である。従って、図６では、ＷＬＡＮ通信機能部２４が、回線接続待ち状態であると記載している。
【０１２０】
次に、図示していないが、Ｓ１１に上述した通り、省電力制御機能部２６は、次の所定のタイミングで、回線選択制御機能部２７から最適化情報を要求する信号が入力されると、記憶する最適化情報を読み出す。次に、省電力制御機能部２６は、最適化情報を示す信号を回線選択制御機能部２７に出力する。
【０１２１】
次に、回線選択制御機能部２７は、最適化情報を示す信号が省電力制御機能部２６から入力されると、その信号から最適化情報を認識し、図６に示されるように、最適化情報とユーザー設定情報を基に、通信を行う無線通信手段を選択する（Ｓ３６）。
【０１２２】
具体的には、回線選択制御機能部２７は、まず、上述のＳ１２と同様に、最適化情報とユーザー設定情報を基に、通信を行う無線通信手段を選択する。次に、回線選択制御機能部２７は、通信を行う無線通信手段を選択すると、その無線通信手段のスコアを最適化情報より求め、スコアが所定値以上かを確認する。次に、回線選択制御機能部２７は、選択した無線通信手段のスコアが所定値以上でなければ、選択していた無線通信手段とは別の任意の無線通信手段を、通信を行う無線通信手段として新たに選択する。回線選択制御機能部２７は、選択した無線通信手段のスコアが所定値以上であれば、通信を行う無線通信手段を変更しない。
【０１２３】
次に、本実施形態の無線通信機器は、上述の「（５）無線通信手段の接続」に説明した動作を行い、選択した通信を行う無線通信手段で、無線通信網に接続する。例えば、本実施形態の無線通信機器は、選択した通信を行う無線通信手段がＬＴＥ／３Ｇ通信機能部２３であれば、図６のように、上述のＳ２３〜Ｓ２６の動作を行い、ＬＴＥ／３Ｇ通信機能部２３で無線通信網に接続する。
【０１２４】
（２）ＬＴＥ方式の通信網と通信を行っている最中に通信が切断した場合の動作
まず、ＬＴＥ／３Ｇ制御機能部２５は、図示していないが、ＬＴＥ方式の無線通信網と通信中、すなわち無線通信網と接続しているときには、通信断の有無を監視する。具体的には、ＬＴＥ／３Ｇ制御機能部２５は、無線通信網に出力し、無線通信網から応答が返される公知の所定メッセージについて、所定の時間内に応答があるかを監視する。ＬＴＥ／３Ｇ制御機能部２５は、所定の時間内に応答がないことをもって、通信断を検知したとする。所定信号や所定の時間は、本実施形態の無線通信機器のユーザーによって設定される。
【０１２５】
次に、ＬＴＥ／３Ｇ制御機能部２５は、通信断を検知すると、通信断の理由、すなわちユーザーによる通信断か、圏外となったことによる通信断か、網からの強制切断による通信断なのかを公知の技術で判別する。
【０１２６】
例えば、ＬＴＥ／３Ｇ制御機能部２５は、網からの強制切断を示す公知の解放メッセージが通知されたら、網からの強制切断と判別してもよい。また、ＬＴＥ／３Ｇ制御機能部２５は、受信電波の強度が所定値よりも小さいことが所定時間続き、公知の解放メッセージが通信網から通知されたら、圏外となったことによる通信断と判断してもよい。公知の解放メッセージは、ＲＲＣ  Ｓｉｇｎａｌｉｎｇ  Ｂｅａｒｅｒ  Ｒｅｌｅａｓｅであってもよい。ＬＴＥ／３Ｇ制御機能部２５は、受信電波の強度が所定値よりも小さいことが所定時間続いていないのに、公知の解放メッセージが通信網から通知されたら、通信断がユーザーによる通信断と判断してもよい。
【０１２７】
次に、ＬＴＥ／３Ｇ制御機能部２５は、図７に示されるように、通信断の理由を判別すると、通信断の理由に対応する信号、すなわち切断理由通知信号を回線選択制御機能部２７に出力する（Ｓ４０）。なお、この際、ＬＴＥ／３Ｇ制御機能部２５は、切断理由通知信号に、自身を示す識別子を付加して出力する。
【０１２８】
次に、回線選択制御機能部２７は、切断理由通知信号が入力されると、その信号を省電力制御機能部２６に出力する（Ｓ４１）。
【０１２９】
次に、省電力制御機能部２６は、切断理由通知信号が入力されると、無線通信手段毎に、スコアを算出し、スコアを含む最適化情報を生成する（Ｓ４２）。具体的には、省電力制御機能部２６は、上述のＳ３２の動作を実施する。
【０１３０】
次に、省電力制御機能部２６は、各無線通信手段のスコアを含む最適化情報を生成すると、図７に示されるように、機能ＯＮを指示する信号をＷＬＡＮ制御機能部２４に出力する（Ｓ４３）。
【０１３１】
ＷＬＡＮ制御機能部２４は、機能ＯＮを指示する信号が入力されると、その信号をＷＬＡＮ通信機能部２２に出力する（Ｓ４４）。
【０１３２】
ＷＬＡＮ通信機能部２２は、機能ＯＮを指示する信号が入力されると、ＷＬＡＮ方式で無線通信を行う機能を起動する（Ｓ４５）。なお、ＷＬＡＮ制御機能部２４は、ＷＬＡＮ方式の無線通信網と接続していない状態なので、図７では、回線接続待ち状態と記している。また、ＬＴＥ／３Ｇ通信機能部２３についても、回線接続を指示する信号が入力されておらず、ＬＴＥ方式の無線通信網と接続していない状態である。従って、図７では、ＬＴＥ／３Ｇ通信機能部２３が、回線接続待ち状態であることを記載している。
【０１３３】
次に、図示していないが、Ｓ１１に上述した通り、省電力制御機能部２６は、次の所定のタイミングで、回線選択制御機能部２７から最適化情報を要求する信号が入力されると、記憶する最適化情報を読み出す。次に、省電力制御機能部２６は、最適化情報を示す信号を回線選択制御機能部２７に出力する。
【０１３４】
次に、回線選択制御機能部２７は、最適化情報を示す信号が省電力制御機能部２６から入力されると、その信号から最適化情報を認識し、図７に示されるように、最適化情報とユーザー設定情報を基に、通信を行う無線通信手段を選択する（Ｓ４６）。具体的には、回線選択制御機能部２７は、上述のＳ３６と同じ動作を行う。
次に、本実施形態の無線通信機器は、上述の「（５）無線通信手段の接続」に説明した動作を行い、選択した無線通信手段で、無線通信網に接続する。例えば、本実施形態の無線通信機器は、選択した無線通信手段がＷＬＡＮ通信機能部２２であれば、図７のように、上述のＳ１３〜Ｓ１６の動作を行い、ＷＬＡＮ通信機能部２２で無線通信網に接続する。
【０１３５】
（３）無線通信手段の他の選択方法
上述では、ユーザー設定情報が、消費電力のより小さな無線通信手段を優先的に選択することが示された情報であった場合の本実施形態の無線通信機器の動作について説明した。以下では、ユーザー設定情報が、受信した電波の強度が最も高く、切断されにくい無線通信手段を優先的に選択することが示された情報であったときの本実施形態の無線通信機器の動作について説明する。具体的には、上述のＳ３６の動作が以下の通りとなる。
【０１３６】
・回線選択制御機能部２７は、まず、上述の「（７−１）ユーザー設定情報が、切断されにくい無線通信手段を優先的に選択することが示された情報であった場合」に示した動作を行い、最適化情報とユーザー設定情報を基に、通信を行う無線通信手段を選択する。次に、回線選択制御機能部２７は、通信を行う無線通信手段を選択すると、その無線通信手段のスコアを最適化情報より求め、スコアが所定値以上かを確認する。次に、回線選択制御機能部２７は、選択した無線通信手段のスコアが所定値以上でなければ、選択していた無線通信手段とは別の任意の無線通信手段を、通信を行う無線通信手段として新たに選択する。回線選択制御機能部２７は、選択した無線通信手段のスコアが所定値以上であれば、通信を行う無線通信手段を変更しない。
【０１３７】
その他の動作については、第１の実施の形態の動作と同様である為、詳細の説明を省略する。
【０１３８】
［効果の説明］
本実施形態によれば、無線通信機器は、通信が安定しない無線通信手段、すなわち、通信が不慮に切断されてしまうことの多い無線通信手段を選択しないようにすることができる。その理由は、本実施形態の無線通信機器が、無線通信手段毎に、その通信の安定性を評価し、選択した無線通信手段の評価が一定水準より低い場合には、評価が一定水準以上の別の無線通信手段を、通信を行う無線通信手段として選択するからである。
【０１３９】
通信が安定しない無線通信手段を選択しない結果、本実施形態の無線通信機器は、無線通信網との間で頻繁な再送動作が実施されることがなくなり、消費電力の増加を防ぐ事ができる。
【０１４０】
［第３の実施の形態］
次に、本発明の第３の実施の形態について説明する。
【０１４１】
［構成の説明］
図８は、本発明の第３の実施の形態における無線通信機器の構成例を示す図である。
【０１４２】
第３の実施の形態における無線通信機器１００は、図示していないが、無線通信方式が異なる複数の通信網のいずれかと無線通信を行うことが可能な無線通信手段を複数備えた無線通信機器である。また、第３の実施の形態における無線通信機器１００は、図８に示されるように、記憶部１０１と、測定部１０２と、通信回線選択部１０３を備える。通信回線選択部１０３は、記憶部１０１と、測定部１０２に接続される。
【０１４３】
記憶部１０１は、無線通信手段毎に、受信電波の強度と、その強度時に通信網と通信した場合に無線通信手段が消費すると推定される電力量と、が対応づけられた所定のテーブルを記憶する。
【０１４４】
測定部１０２は、無線通信手段毎に、実際に受信した電波の強度を測定する。
【０１４５】
通信回線選択部１０３は、無線通信手段毎に、測定部１０２が測定した強度に対応する電力量をテーブルから求める。また、通信回線選択部１０３は、求めた前記電力量がより少ない無線通信手段を、無線通信を行う為の無線通信手段として選択し、選択した無線通信手段に対応する信号を出力する。
【０１４６】
[動作の説明]
まず、第３の実施の形態における無線通信機器１００の記憶部１０１は、無線通信手段毎に、受信電波の強度と、その強度時に通信網と通信した場合に無線通信手段が消費すると推定される電力量と、が対応づけられた所定のテーブルを記憶している。所定のテーブルは、本実施形態の無線通信機器１００のユーザーによって設定される。
【０１４７】
次に、無線通信機器１００の測定部１０２は、無線通信手段毎に、実際に受信した電波の強度を測定する。
【０１４８】
次に、無線通信機器１００の通信回線選択部１０３は、無線通信手段毎に、測定部１０２が測定した強度に対応する電力量をテーブルから求める。
【０１４９】
次に、無線通信機器１００の通信回線選択部１０３は、求めた前記電力量がより少ない無線通信手段を、無線通信を行う為の無線通信手段として選択し、選択した無線通信手段に対応する信号を出力する。本実施形態の無線通信機器１００は、無線通信手段に対応する信号に示される無線通信手段にて、通信網と無線通信を行ってもよい。
【０１５０】
また、無線通信機器１００の測定部１０２や通信回線選択部１０３は、上述の動作を所定のタイミングになると実施してもよい。所定のタイミングは、一定間隔毎のタイミングであってもよく、本実施形態の無線通信機器のユーザーによって設定される。
【０１５１】
［効果の説明］
本実施形態によれば、無線通信機器は、消費電力量の少ない無線通信手段、すなわち通信回線を、より正確に選択することができる。
【０１５２】
その理由としては、本実施形態の無線通信機器は、受信電波の強度によって無線通信手段の消費電力量が変動することに対応し、受信電波の強度に応じて各無線通信手段の消費電力量を求め、消費電力量のより少ない無線通信手段を選択するからである。
【０１５３】
その結果、本実施形態の無線通信機器は、受信電波の強度の変動によって消費電力量が増減することを考慮せずに無線通信手段を選択する特許文献１よりも、正確に消費電力量の少ない無線通信手段を選択することができる。
【０１５４】
なお、上述した実施の形態は、その形態に限定されるものではなく、実施段階ではその要旨を逸脱しない範囲で種々変更可能である。
【符号の説明】
【０１５５】
１    設定情報管理機能部
２    ＷＬＡＮ通信機能部
３    ＬＴＥ／３Ｇ通信機能部
４    ＷＬＡＮ制御機能部
５    ＬＴＥ／３Ｇ制御機能部
６    省電力制御機能部
７    回線選択制御機能部
２２    ＷＬＡＮ通信機能部
２３    ＬＴＥ／３Ｇ通信機能部
２４    ＷＬＡＮ制御機能部
２５    ＬＴＥ／３Ｇ制御機能部
２６    省電力制御機能部
２７    回線選択制御機能部
１００    無線通信機器
１０１    記憶部
１０２    測定部
１０３    通信回線選択部
【図１】
2014165781.tif 000003
【図２】
2014165781.tif 000004
【図３】
2014165781.tif 000005
【図４】
2014165781.tif 000006
【図５】
2014165781.tif 000007
【図６】
2014165781.tif 000008
【図７】
2014165781.tif 000009
【図８】
2014165781.tif 000010